(57)【特許請求の範囲】
【請求項１】
ボタンシェルおよび内側シェルを備える端末装置であって、
スライドレールが前記ボタンシェルに配設され、摺動スロットが前記内側シェルの対応する位置に配設され、前記スライドレールが前記摺動スロットに沿って摺動することが可能であり、したがって前記ボタンシェルと前記内側シェルとが固定的に連結されることになり、
少なくとも１つのスライドレールが、前記ボタンシェルの、バンプが設置される側に配設され、前記スライドレールの、前記ボタンシェルに近接した端部の幅が、前記スライドレールの外側端部の幅よりも小さく、
互いにつながった２つの摺動スロットが、前記内側シェルの対応する位置に配設され、前記内側シェルにある第１の摺動スロットの中空面が、前記スライドレールの外側端面よりも小さくはなく、第２の摺動スロットの幅が、前記スライドレールの、前記ボタンシェルに近接した端部の幅よりも小さくはなく、
前記内側シェルが、前記第２の摺動スロットにつながった第３の摺動スロットをさらに備え、
前記内側シェルにある前記第３の摺動スロットの中空面が、前記スライドレールの前記外側端面よりも小さくはない、端末装置。
【請求項２】
停止ブロックが前記ボタンシェルの端部部分に配設され、したがって前記スライドレールが前記摺動スロットに沿って摺動し、前記停止ブロックが前記内側シェルの摺動を阻止すると、前記ボタンシェルと前記内側シェルとが固定的に連結されることになる、請求項１に記載の端末装置。
【請求項３】
溝が前記停止ブロックに配設され、前記溝と合致する突起部が、前記内側シェルの対応する位置に配設され、したがって前記停止ブロックが前記内側シェルの摺動を阻止すると、前記突起部が前記溝と係合することになる、請求項２に記載の端末装置。
【請求項４】
前記スライドレールが前記ボタンシェルの縁部に配設され、前記摺動スロットが前記内側シェルの縁部の対応する位置に配設される、請求項１から３のいずれか一項に記載の端末装置。
【請求項５】
請求項１から４のいずれか一項に記載の端末装置のボタンシェルを製造するために使用される、ボタンシェルの金型。
【請求項６】
請求項１から４のいずれか一項に記載の端末装置の内側シェルを製造するために使用される、内側シェルの金型。
【発明の詳細な説明】
【技術分野】
【０００１】
［関連出願の相互参照］
本出願は、２０１１年８月２９日に中国特許庁に出願した中国特許出願第２０１１２０３１８２２１．５号の優先権を主張するものであり、その全体を参照により本明細書に組み込む。
【０００２】
本発明は、電子機器の技術分野に関し、詳細には、端末装置と、端末装置のボタンシェルおよび内側シェルの金型に関する。
【背景技術】
【０００３】
現在のところ、一部の端末装置は、物理的ボタンを有し、通常の状況下では、この種の端末装置には、ボタンシェルおよび内側シェルが含まれ、物理的ボタンは、ボタンシェルの外側に配設され、ボタンシェルの内側面には、バンプが各物理的ボタンに対応する位置に配設され、多数の穴が内側シェルに配設され、したがって物理的ボタンのバンプは、内側シェルにあるそれらの穴を貫通することができ、端末装置内の対応する回路に接続され、それによって物理的ボタンを用いて端末装置の操作を実現することができる。
【０００４】
端末装置では、内側シェルに配設された穴によって、物理的ボタンをボタンシェルに固定することができ、それと同時に、ボタンシェルと内側シェルとを固締する必要があることが分かる。既存の端末装置では、ボタンシェルと内側シェルとは、中間媒体、例えば、ねじ、接着剤、またはホットメルトツールによって固定される。
【０００５】
ボタンシェルと内側シェルとを端末装置に固定する際に採用されている既存の方法によれば、追加の中間媒体を使用する必要があり、その結果、端末装置により多くの材料が必要となる。
【発明の概要】
【課題を解決するための手段】
【０００６】
本発明の実施形態によって、中間媒体を使用せずにボタンシェルと内側シェルとを固定することができ、それによって端末装置の材料が節減される、端末装置、ならびに端末装置のボタンシェルおよび内側シェルの金型が提供される。
【０００７】
本発明の一実施形態によって、ボタンシェルおよび内側シェルを含む端末装置が提供される。
【０００８】
スライドレールがボタンシェルに配設され、摺動スロットが内側シェルの対応する位置に配設され、スライドレールは摺動スロットに沿って摺動することが可能であり、したがってボタンシェルと内側シェルとが固定的に連結されることになる。
【０００９】
本発明の一実施形態によって、端末装置のボタンシェルを製造するために使用される、ボタンシェルの金型が提供される。
【００１０】
スライドレールがボタンシェルに配設され、このスライドレールは端末装置の内側シェルの対応する位置に配設された摺動スロットに沿って摺動することが可能であり、したがってボタンシェルと内側シェルとが固定的に連結されることになる。
【００１１】
本発明の一実施形態によって、端末装置の内側シェルを製造するために使用される、内側シェルの金型が提供される。
【００１２】
摺動スロットが内側シェルに配設され、ボタンシェルの対応する位置に配設されたスライドレールが、この摺動スロットに沿って摺動することが可能であり、したがってボタンシェルと内側シェルとが固定的に連結されることになる。
【００１３】
本発明の上記実施形態によれば、中間媒体を使用せずにボタンシェルと内側シェルとを連結することができ、ボタンシェルと内側シェルとは、ボタンシェルにあるスライドレールと、内側シェルにある摺動スロットとの間の摺動によって固定的に連結され、したがって端末装置の材料が節減され、それによって端末装置のボタンシェルと内側シェルとの組み立て工程が簡単になる。
【００１４】
本発明の実施形態による技術的解決策、または従来技術における技術的解決策をより明確に例示するために、実施形態または従来技術を説明する添付の図面について、以下で簡潔に紹介する。以下の説明における添付の図面は、本発明のいくつかの実施形態を示すものにすぎず、当業者であれば、創造的な努力なく、添付の図面から他の図面を想起できることは自明である。
【図面の簡単な説明】
【００１５】
【図１ａ】本発明の一実施形態によって提供される端末装置のボタンシェルの概略的な構造図である。
【図１ｂ】本発明の一実施形態によって提供される端末装置の内側シェルの概略的な構造図である。
【図２】本発明の一実施形態のボタンシェルに配設されるスライドレールの概略的な構造図である。
【図３】本発明の一実施形態の内側シェルに配設される摺動スロットの概略的な構造図である。
【図４ａ】本発明の一実施形態のボタンシェルと内側シェルとの組み立て工程を示す図である。
【図４ｂ】本発明の一実施形態のボタンシェルと内側シェルとの組み立て工程を示す図である。
【発明を実施するための形態】
【００１６】
本発明の技術的解決策について、添付の図面を参照しながら以下で明確に説明する。以下で説明する実施形態は、本発明の実施形態の全てではなく、ほんの一部であることは明白である。本発明の実施形態に基づき、創造的な努力なく当業者によって得られる他の実施形態は全て、本発明の保護の範囲内に含まれるものである。
【００１７】
本発明の一実施形態によって提供される端末装置は、ボタンシェルおよび内側シェルを含む。スライドレールがボタンシェルに配設され、摺動スロットが内側シェルの対応する位置に配設され、スライドレールは摺動スロットに沿って摺動することが可能であり、したがってボタンシェルと内側シェルとが固定的に連結されることになる。
【００１８】
本明細書では、ボタンシェルに配設されるスライドレール、および内側シェルに配設される摺動スロットは、スライドレールの形状が摺動スロットの形状と合致し、したがってスライドレールが摺動スロットに沿って摺動することができる限り、いかなる形状のものでもよいことが理解されよう。例えば、スライドレールが陥凹形状を有する場合、摺動スロットは、その陥凹したスライドレールと合致する突起部分を有する必要があり、ボタンシェルと内側シェルとが固定的に連結されることを可能とするいかなる嵌合構造体も、本発明の保護の範囲内に含まれる。
【００１９】
さらに、内側シェルに配設される摺動スロットは、内側シェルの貫通穴でもよく、また内側シェルの止まり穴でもよく、スライドレールは、好ましくはボタンシェルの内面に配設され、すなわちスライドレールは、ボタンシェルの、バンプが設置される側に配設され、したがってこの端末装置は外観がより美しく見える。さらに、摺動スロットは、鋼板（もしくは他の金属）から、またはプラスチックを成型することによって形成することができ、スライドレールは、プラスチックを成型することによって形成することができ、したがって成型工程は単純であり、製造精度に高い要件は求められず、製造費用は低い。
【００２０】
本発明の一実施形態によれば、中間媒体を使用せずにボタンシェルと内側シェルとを連結することができ、ボタンシェルと内側シェルとは、ボタンシェルにあるスライドレールと、内側シェルにある摺動スロットとの間の摺動によって固定的に連結され、したがって端末装置の材料が節減され、それによって端末装置のボタンシェルと内側シェルとの組み立て工程が簡単になることが理解されよう。
【００２１】
特定の実施形態では、端末装置は、ボタンシェル１０および内側シェル２０を含む。ボタンシェル１０は、図１ａに示す構造体を有し、内側シェル２０は、図１ｂに示す構造体を有する。
【００２２】
少なくとも１つのスライドレール１０１が、ボタンシェル１０の、バンプ１０２が設置される側に配設され、スライドレール１０１の、ボタンシェル１０に近接した端部の幅は、スライドレール１０１の外側端部の幅よりも小さい。
【００２３】
互いにつながった２つの摺動スロット２０１が、内側シェル２０の対応する位置に配設され、内側シェル２０にある第１の摺動スロット２０１−１の中空面は、スライドレール１０１の外側端面よりも小さくはなく、第２の摺動スロット２０１−２の幅は、スライドレール１０１の、ボタンシェルに近接した端部の幅よりも小さくはない。
【００２４】
物理的ボタンが、ボタンシェル１０の外側面に配設され、ボタンシェル１０の内側面には、バンプ１０２が物理的ボタンそれぞれの対応する位置に配設され、スライドレール１０１が、バンプ１０２のある側に配設される。スライドレール１０１はいかなる形状のものでもよく、例えば、図２に示すように、スライドレール１０１の、ボタンシェルに近接した端部１０１−３の幅は、スライドレールの外側端部１０１−２の幅よりも小さく、したがってスライドレール１０１の断面は、「Ｔ」形、またはプラットフォーム型、または上側端部が広く、下側端部が狭い他の形状となる。
【００２５】
多数の穴２０２が内側シェル２０に配設され、したがって物理的ボタンのバンプ１０２は、内側シェル２０にある穴２０２を貫通することができ、端末装置内の対応する回路に接続され、それによって物理的ボタンを用いて端末装置の操作を実現することができる。この実施形態では、互いにつながった少なくとも２つの摺動スロット２０１が内側シェル２０にさらに配設され、したがって内側シェル２０にある第１の摺動スロット２０１−１の中空面は、スライドレール１０１の外側端面１０１−１よりも小さくはなく、第２の摺動スロット２０１−２の幅は、スライドレールの、ボタンシェルに近接した端部１０１−３の幅よりも小さくはない。摺動スロット２０１もやはり、摺動スロット２０１の形状が、スライドレール１０１の形状と合致する限り、いかなる形状のものでもよい。
【００２６】
任意選択で、スライドレール１０１は可能な限りボタンシェル１０の縁部に配設され、摺動スロット２０１は内側シェル２０の縁部の対応する位置に配設され、したがってスライドレール１０１の設置によって、ボタンシェル１０にある他の部品に対して影響が及ぼされることはなく、それと同時に、摺動スロット２０１の設置によって、内側シェル２０にある他の部品に対しても影響が及ぼされることはないことに留意されたい。
【００２７】
このようにすると、ボタンシェル１０と内側シェル２０とを組み立てる際、ボタンシェル１０に配設されたスライドレールの外側端部１０１−２を、内側シェル２０にある第１の摺動スロット２０１−１内に配置し、スライドレールの、ボタンシェルに近接した端部１０１−３を、摺動スロット２０１に沿って第２の摺動スロット２０１−２内に摺動させることができ、したがってボタンシェル１０と内側シェル２０とが、中間媒体を使用せずに固定的に連結されることになる。
【００２８】
第２の摺動スロット２０１−２の幅が、スライドレールの外側端部１０１−２の幅よりも小さい場合、スライドレールの外側端部１０１−２は、第２の摺動スロット２０１−２から容易に滑り抜けて外れることができなくなり、それによってボタンシェル１０と内側シェル２０との連結がさらに固定されることになる。
【００２９】
別の特定の実施形態では、図３に示す摺動スロット１０１の構造図を参照すると、内側シェル２０に、第１の摺動スロット２０１−１、および第２の摺動スロット２０１−２に加えて、第２の摺動スロット２０１−２につながった第３の摺動スロット２０１−３をさらに設置することができる。内側シェル２０にある第３の摺動スロット２０１−３の中空面は、スライドレールの外側端面１０１−１よりも小さくはない。このようにすると、ボタンシェル１０と内側シェル２０とを組み立てる際、ボタンシェル１０に配設されたスライドレールの外側端部１０１−２を、内側シェル２０にある第１の摺動スロット２０１−１、または第３の摺動スロット２０１−３に配置することができ、それによってボタンシェル１０と内側シェル２０とをさらに組み立てやすくすることができる。
【００３０】
さらに、停止ブロック１０３をボタンシェル１０の端部部分に配設することができ、したがってスライドレール１０１が摺動スロット２０１に沿って摺動し、停止ブロック１０３が内側シェル２０を阻止すると、ボタンシェル１０と内側シェル２０とが固定的に連結されることになり、すなわち停止ブロック１０３が内側シェル２０を阻止すると、スライドレールの、ボタンシェルに近接した端部１０１−３が、第２の摺動スロット２０１−２内にうまく摺動することができるようになる。
【００３１】
好ましくは、溝を停止ブロック１０３に配設することができ、その溝と合致する突起部２０３が、内側シェル２０の対応する位置に配設され、したがって停止ブロック１０３が内側シェル２０を阻止すると、突起部２０３が溝と係合することになる。
【００３２】
図４ａおよび図４ｂを参照すると、この実施形態では、ボタンシェル１０と内側シェル２０とを組み立てる際、まず、ボタンシェル１０に配設されたスライドレールの外側端部１０１−２を、内側シェル２０にある第１の摺動スロット２０１−１、または第３の摺動スロット２０１−３に配置し、ボタンシェル１０にあるバンプ１０２を、内側シェル２０の穴２０２内に配置する必要がある。
【００３３】
スライドレールの、ボタンシェルに近接した端部１０１−３が摺動スロット２０１に沿って摺動し、停止ブロック１０３が内側シェル２０を阻止すると、内側シェル２０にある突起部２０３が、停止ブロック１０３にある溝と係合し、それと同時に、ボタンシェル１０と内側シェル２０とが固定的に連結され、すなわちスライドレールの、ボタンシェルに近接した端部１０１−３が、第２の摺動スロット２０１−２内に摺動することになる。
【００３４】
ボタンシェル１０と内側シェル２０とを分解する際には、停止ブロック１０３の溝と、内側シェル２０にある突起部２０３とを係脱させ、スライドレールの、ボタンシェルに近接した端部１０１−３を、摺動スロット２０１に沿って第１の摺動スロット２０１−１または第３の摺動スロット２０１−３内に摺動させ、すなわちボタンシェル１０に配設されたスライドレール１０１を、摺動スロット２０１から取り外す。
【００３５】
本発明の一実施形態によって、本発明の実施形態による端末装置のボタンシェルを製造するために使用される、ボタンシェルの金型がさらに提供され、この端末装置のボタンシェルの構造体に関しては、図１ａに対応する実施形態によるボタンシェルの構造体を参照することができるので、本明細書では再掲しない。
【００３６】
本発明の一実施形態によって、本発明の実施形態による端末装置の内側シェルを製造するために使用される、内側シェルの金型がさらに提供され、この端末装置の内側シェルの構造体に関しては、図１ｂに対応する実施形態による内側シェルの構造体を参照することができるので、本明細書では再掲しない。
【００３７】
本発明の実施形態によって提供される端末装置、ならびにボタンシェルおよび内側シェルの金型について上記で詳細に説明している。本発明の原理および実装形態について、本明細書では特定の例によって説明している。本発明の実施形態についての上記説明は、本発明の方法、および中心となる概念を理解しやすいように示したものにすぎない。当業者であれば、特定の実装形態および適用例の範囲の点から、本発明の概念に従って、本発明に変更および改変を行うことができよう。したがって、本明細書は、本発明を限定するものとして解釈すべきではない。
【符号の説明】
【００３８】
１０  ボタンシェル
２０  内側シェル
１０１  スライドレール
１０１−１  外側端面
１０１−２  外側端部
１０１−３  スライドレールの、ボタンシェルに近接した端部
１０２  バンプ
１０３  停止ブロック
２０１  摺動スロット
２０１−１  第１の摺動スロット
２０１−２  第２の摺動スロット
２０１−３  第３の摺動スロット
２０２  穴
２０３  突起部
【図１ａ】
0005712447.tif 000002
【図１ｂ】
0005712447.tif 000003
【図２】
0005712447.tif 000004
【図３】
0005712447.tif 000005
【図４ａ】
0005712447.tif 000006
【図４ｂ】
0005712447.tif 000007